(57)【要約】【課題】放送時間が重複する複数の番組の録画を、状況に応じて柔軟に行う。【解決手段】制御部は、番組のジャンルをＥＰＧ情報から認識する。次に、このジャンルに対応した優先度を、優先度情報を読み出して、認識する。Ａ１とＢ１が重複して放送される８：００〜８：１５においては、Ａ１の優先度が２、Ｂ１の優先度が１であるため、Ｂ１が録画される。８：３０〜８：４５においては、Ａ１の優先度は２、Ｃ１の優先度が１であるため、Ｃ１が録画される。一方、８：４５〜９：００においては、Ａ１の優先度は変わらずに２であるのに対してＣ１の優先度は３に低下するため、Ａ１が再び録画される。【選択図】図２
2013131998.tif 000002
【特許請求の範囲】
【請求項１】
テレビジョン放送される複数の番組が利用者に予め選択され、前記複数の番組に対応するテレビジョン放送を選局して受信し、前記複数の番組に対応する信号を記憶することによって前記複数の番組を録画する録画装置であって、
番組の属性情報と優先度とが対応付けられた優先度情報を記憶する情報記憶部と、
前記選択された複数の番組中に放送時間帯が重複する２つの番組が存在した場合に、前記２つの番組の属性情報と前記優先度情報とから前記２つの番組の優先度を決定して比較し、前記２つの番組が重複した放送時間帯において前記２つの番組のうちの優先度の高い番組のテレビジョン放送を選択して受信し録画する動作を行わせる制御部と、
を具備することを特徴とする録画装置。
【請求項２】
前記制御部は、
前記２つの番組のうちの一方の番組の放送時間内において他方の番組が放送される場合に、前記優先度の比較に基づいて、前記一方の番組の放送時間内において受信するテレビジョン放送を切り替える動作を行わせることを特徴とする請求項１に記載の録画装置。
【請求項３】
前記優先度情報において、番組の放送開始からの時間経過に応じて優先度が変動するように設定され、
前記制御部は、前記２つの番組が重複した放送時間帯における時間経過に応じて、前記２つの番組の優先度を比較し、前記２つの番組のうちの優先度の高い番組のテレビジョン放送を受信して録画する動作を行わせることを特徴とする請求項１又は２に記載の録画装置。
【請求項４】
前記属性情報は、前記番組の属するジャンルであることを特徴とする請求項１から請求項３までのいずれか１項に記載の録画装置。
【請求項５】
前記制御部は、前記録画が行われる前において、
前記２つの番組の優先度の比較に基づいて選択された番組を含む録画されるべき番組が、前記２つの番組が重複した放送時間帯を含む時間帯において時刻に対応して表示された録画パターンを、
利用者に対して表示させることを特徴とする請求項１から請求項４までのいずれか１項に記載の録画装置。
【請求項６】
前記制御部は、
前記録画が行われる前において、前記録画パターンを利用者に編集させ、編集後の録画パターンに基づいてテレビジョン放送を受信して録画する動作を行わせることを特徴とする請求項５に記載の録画装置。
【請求項７】
前記制御部は、
前記複数の番組の選択を、電子番組表（ＥＰＧ）情報に基づいた番組表の中で利用者に番組を選択させることによって行わせることを特徴とする請求項１から請求項６までのいずれか１項に記載の録画装置。
【請求項８】
前記複数の番組に対応する信号を記憶する記憶部を具備することを特徴とする請求項１から請求項７までのいずれか１項に記載の録画装置。
【請求項９】
前記番組の画像を表示する表示部を具備することを特徴とする請求項１から請求項８までのいずれか１項に記載の録画装置。
【請求項１０】
テレビジョン放送される複数の番組が利用者に予め選択させ、前記複数の番組に対応するテレビジョン放送を選局して受信し、前記複数の番組に対応する信号を記憶することによって複数の番組を録画する録画方法であって、
番組の属性情報と優先度とが対応付けられた優先度情報を予め記憶し、
録画を希望する番組を利用者に選択させる録画番組選択工程と、
当該録画番組選択工程で選択された番組のうち、放送時間帯が重複する２つの番組を見つける重複判定工程と、
前記２つの番組が重複した放送時間帯において、前記２つの番組のうち、前記優先度情報に基づいて決定された優先度の高い番組のテレビジョン放送を選択して受信し録画する録画工程と、
を具備することを特徴とする録画方法。
【請求項１１】
前記録画工程において、
前記２つの番組のうちの一方の番組の放送時間内において他方の番組が放送される場合に、前記優先度の比較に基づいて、前記一方の番組の放送時間内において受信するテレビジョン放送を切り替える動作を行うことを特徴とする請求項１０に記載の録画方法。
【請求項１２】
前記優先度情報において、番組の放送開始からの時間経過に応じて優先度が変動するように設定され、
前記録画工程において、前記２つの番組が重複した放送時間帯で、時間経過に応じて比較された前記２つの番組の優先度に応じて、前記２つの番組のうちの優先度の高い番組のテレビジョン放送を受信して録画する、
ことを特徴とする請求項１０又は１１に記載の録画方法。
【請求項１３】
前記属性情報は、前記番組の属するジャンルであることを特徴とする請求項１０から請求項１２までのいずれか１項に記載の録画方法。
【請求項１４】
前記重複判定工程と前記録画工程の間に、前記２つの番組の優先度の比較に基づいて選択された番組を含む録画されるべき番組が、前記２つの番組が重複した放送時間帯を含む時間帯において時刻に対応して表示された録画パターンを利用者に対して表示する録画パターン表示工程を具備し、
前記録画工程において、前記録画パターンに従ってテレビジョン放送の受信及び録画を実行することを特徴とする請求項１０から請求項１３までのいずれか１項に記載の録画方法。
【請求項１５】
前記録画パターン表示工程と前記録画工程の間に、前記録画パターンを利用者に編集させる録画パターン編集工程を具備し、
前記録画工程において、編集後の前記録画パターンに従ってテレビジョン放送の受信及び録画を実行することを特徴とする請求項１４に記載の録画方法
【請求項１６】
前記録画番組選択工程において、前記複数の番組の選択を、電子番組表（ＥＰＧ）情報に基づいた番組表の中で利用者に番組を選択させることによって行うことを特徴とする請求項１０から請求項１５までのいずれか１項に記載の録画方法。
【発明の詳細な説明】
【技術分野】
【０００１】
本発明は、テレビジョン放送を受信して録画する録画装置、録画方法に関する。
【背景技術】
【０００２】
テレビジョン放送された番組をテレビジョン受像機でリアルタイムで視聴せず、これをハードディスクレコーダやＤＶＤレコーダ等の録画装置で予約録画してから、所望の日時においてこれを再生して視聴することは、一般家庭内で広く行われている。特に、近年はテレビジョン放送の方式が従来のアナログ放送からデジタル放送に移行したため、画質や音質を良好に保ったままでの録画が可能となっただけでなく、この予約も特に容易となっている。この場合においては、電子番組表（ＥＰＧ）情報に基づいて番組表をテレビジョン受像機のディスプレイで表示させ、この番組表中における所望の番組を視聴者が選択することにより、録画の予約が特に容易に行われる。
【０００３】
ここで、一般的には、同じ時刻において録画可能な番組の数は、同時に受信できるチャンネルの数と等しい。このため、一つのチューナしかもたない録画装置においては、ある時刻においてある番組を予約録画する場合には、同時刻において放送される裏番組の予約録画をすることは一般には不可能である。
【０００４】
特許文献１においては、こうした場合において、同時刻において放送される複数の番組を自動的に選択して録画することができる技術が記載されている。この技術においては、予約された複数の番組に優先順位が付与され、状況に応じて、優先度の高い番組から選択されて録画される。この状況とは、例えばテレビジョン放送用電波の受信状況や、予約された番組の開始時刻の変更状況等である。このため、所望の複数の番組のうち、例えば第１希望の番組の受信（録画）が良好に行われないと判断された場合には、代わって自動的に第２希望の番組が録画される。この技術によれば、例えば、所望の番組が何らかの理由で放送されなくなったり受信できなくなった場合に、自動的に第２希望以降の番組を録画することができた。
【先行技術文献】
【特許文献】
【０００５】
【特許文献１】特開２０１０−２３９３７４号公報
【発明の概要】
【発明が解決しようとする課題】
【０００６】
しかしながら、特許文献１に記載の技術においても、同一の時間帯で録画される番組の数は一つであり、放送時間が重複する複数の番組を共に録画することはできない。これは、この重複する放送時間の長短によらない。例えば、異なる２つの放送局による２時間番組がそれぞれ存在し、これらの番組において重複する放送時間が２時間のうちのわずか１分だけであったとしても、録画できるのはこれらのうちの一方の番組のみとなる。
【０００７】
なお、チューナを複数具備する録画装置であれば、同時に複数のチャンネルを受信することができるため、同時刻に複数の番組を録画することは可能である。しかしながら、チューナの数を越える数の番組を同時刻に予約録画したい場合には、同様の問題が発生する。
【０００８】
このため、放送時間が重複する複数の番組の録画を、状況に応じて柔軟に行うことは困難であった。
【０００９】
本発明は、かかる問題点に鑑みてなされたものであり、上記問題点を解決する発明を提供することを目的とする。
【課題を解決するための手段】
【００１０】
本発明は、上記課題を解決すべく、以下に掲げる構成とした。
本発明の録画装置は、テレビジョン放送される複数の番組が利用者に予め選択され、前記複数の番組に対応するテレビジョン放送を選局して受信し、前記複数の番組に対応する信号を記憶することによって前記複数の番組を録画する録画装置であって、番組の属性情報と優先度とが対応付けられた優先度情報を記憶する情報記憶部と、前記選択された複数の番組中に放送時間帯が重複する２つの番組が存在した場合に、前記２つの番組の属性情報と前記優先度情報とから前記２つの番組の優先度を決定して比較し、前記２つの番組が重複した放送時間帯において前記２つの番組のうちの優先度の高い番組のテレビジョン放送を選択して受信し録画する動作を行わせる制御部と、を具備することを特徴とする。
本発明の録画装置において、前記制御部は、前記２つの番組のうちの一方の番組の放送時間内において他方の番組が放送される場合に、前記優先度の比較に基づいて、前記一方の番組の放送時間内において受信するテレビジョン放送を切り替える動作を行わせることを特徴とする。
本発明の録画装置は、前記優先度情報において、番組の放送開始からの時間経過に応じて優先度が変動するように設定され、前記制御部は、前記２つの番組が重複した放送時間帯における時間経過に応じて、前記２つの番組の優先度を比較し、前記２つの番組のうちの優先度の高い番組のテレビジョン放送を受信して録画する動作を行わせることを特徴とする。
本発明の録画装置において、前記属性情報は、前記番組の属するジャンルであることを特徴とする。
本発明の録画装置において、前記制御部は、前記録画が行われる前において、前記２つの番組の優先度の比較に基づいて選択された番組を含む録画されるべき番組が、前記２つの番組が重複した放送時間帯を含む時間帯において時刻に対応して表示された録画パターンを、利用者に対して表示させることを特徴とする。
本発明の録画装置において、前記制御部は、前記録画が行われる前において、前記録画パターンを利用者に編集させ、編集後の録画パターンに基づいてテレビジョン放送を受信して録画する動作を行わせることを特徴とする。
本発明の録画装置において、前記制御部は、前記複数の番組の選択を、電子番組表（ＥＰＧ）情報に基づいた番組表の中で利用者に番組を選択させることによって行わせることを特徴とする。
本発明の録画装置は、前記複数の番組に対応する信号を記憶する記憶部を具備することを特徴とする。
本発明の録画装置は、前記番組の画像を表示する表示部を具備することを特徴とする。
本発明の録画方法は、テレビジョン放送される複数の番組が利用者に予め選択させ、前記複数の番組に対応するテレビジョン放送を選局して受信し、前記複数の番組に対応する信号を記憶することによって複数の番組を録画する録画方法であって、番組の属性情報と優先度とが対応付けられた優先度情報を予め記憶し、録画を希望する番組を利用者に選択させる録画番組選択工程と、当該録画番組選択工程で選択された番組のうち、放送時間帯が重複する２つの番組を見つける重複判定工程と、前記２つの番組が重複した放送時間帯において、前記２つの番組のうち、前記優先度情報に基づいて決定された優先度の高い番組のテレビジョン放送を選択して受信し録画する録画工程と、を具備することを特徴とする。
本発明の録画方法は、前記録画工程において、前記２つの番組のうちの一方の番組の放送時間内において他方の番組が放送される場合に、前記優先度の比較に基づいて、前記一方の番組の放送時間内において受信するテレビジョン放送を切り替える動作を行うことを特徴とする。
本発明の録画方法は、前記優先度情報において、番組の放送開始からの時間経過に応じて優先度が変動するように設定され、前記録画工程において、前記２つの番組が重複した放送時間帯で、時間経過に応じて比較された前記２つの番組の優先度に応じて、前記２つの番組のうちの優先度の高い番組のテレビジョン放送を受信して録画する、ことを特徴とする。
本発明の録画方法において、前記属性情報は、前記番組の属するジャンルであることを特徴とする。
本発明の録画方法は、前記重複判定工程と前記録画工程の間に、前記２つの番組の優先度の比較に基づいて選択された番組を含む録画されるべき番組が、前記２つの番組が重複した放送時間帯を含む時間帯において時刻に対応して表示された録画パターンを利用者に対して表示する録画パターン表示工程を具備し、前記録画工程において、前記録画パターンに従ってテレビジョン放送の受信及び録画を実行することを特徴とする。
本発明の録画方法は、前記録画パターン表示工程と前記録画工程の間に、前記録画パターンを利用者に編集させる録画パターン編集工程を具備し、前記録画工程において、編集後の前記録画パターンに従ってテレビジョン放送の受信及び録画を実行することを特徴とする。
本発明の録画方法は、前記録画番組選択工程において、前記複数の番組の選択を、電子番組表（ＥＰＧ）情報に基づいた番組表の中で利用者に番組を選択させることによって行うことを特徴とする。
【発明の効果】
【００１１】
本発明は以上のように構成されているので、放送時間が重複する複数の番組の録画を、状況に応じて柔軟に行うことができる。
【図面の簡単な説明】
【００１２】
【図１】本発明の実施の形態となるテレビジョン受像機の構成を示す図である。
【図２】本発明の実施の形態となるテレビジョン受像機における録画の具体的状況の第１の例である。
【図３】本発明の実施の形態となるテレビジョン受像機における録画の具体的状況の第２の例である。
【図４】本発明の実施の形態となる録画方法において録画予約を行う際のフローチャートである。
【発明を実施するための形態】
【００１３】
以下、本発明の実施の形態となる録画装置及び録画方法につき説明する。この録画装置は、録画機能付きのテレビジョン受像機であり、視聴を希望する番組の放送時刻に、テレビジョン受像機でこの番組を放送するテレビジョン放送用の電波を選局して受信することにより、この番組を視聴することができる。ただし、利用者（視聴者）は、視聴を希望する番組の信号を記憶（以下、録画という）させることもできる。ここで記憶される信号は、この番組の画像、音声を例えばＭＰＥＧ−２やＭＰＥＧ−４規格に準拠して変換した信号である。
【００１４】
図１は、このテレビジョン受像機１０の構成を示す。このテレビジョン受像機１０においては、全体が制御部（ＣＰＵ）１１によって制御される。制御部１１は、放送受信部１２を制御して、テレビジョン放送用電波を選局して受信させ、画像信号、音声信号を復調し、表示部１３で出力させる。表示部１３においては、画像信号は例えば液晶ディスプレイで表示され、音声信号はスピーカで出力される。また、選局（チャンネルの選択）等の動作は、利用者がリモコン送信機を制御することによって発信された制御用の赤外線信号を受光部（図示せず）が受信し、制御部１１にこの制御の内容を伝え、制御部１１が放送受信部１２を制御することにより行われる。
【００１５】
また、制御部１１は、放送受信部１２で得られたＭＰＥＧ−２、ＭＰＥＧ−４等に準拠した信号を記憶部１４で記憶（録画）させることもできる。記憶部１４としては、例えばハードディスクやＤＶＤ等の、大容量の記憶が可能な各種の記憶媒体を用いることができる。利用者は、録画後の任意の時点で記憶部１４に記憶された信号を、表示部１３で出力（再生）させることができる。録画を希望する番組の予約に際しては、テレビジョン放送用信号に付随して得られる電子番組表（ＥＰＧ）情報が用いられる。すなわち、制御部１１は、このＥＰＧ情報によって、録画可能な番組表を表示部１３で表示させる動作を行う。利用者は、この番組表の中から所望の番組を選択することにより、録画の予約を行うことができる。この操作も、例えばリモコン送信機を用いて行うことができる。また、情報記憶部１５には後述する優先度情報が記憶されており、制御部１１はこれを読み出し、このテレビジョン受像機１０の制御において用いる。
【００１６】
ここで、放送受信部１２が有するチューナの数は一つであるものとする。このため、ある時刻においてこのテレビジョン受像機１０が表示部１３で出力させることができる、あるいは記憶部１４で録画することのできるチャンネルは一つである。すなわち、ある時刻において録画することのできる番組は一つとなる。しかしながら、放送時間が重複する複数の番組の録画を行いたい場合に、制御部１１は、選局動作を放送受信部１２に適宜行わせ、録画する番組の選択を柔軟に行うことができる。以下にこの動作について説明する。
【００１７】
このテレビジョン受像機１０においては、例えば２つの番組の放送時間帯に重複がある場合に、一方の番組の録画（受信）が継続中であっても、他方の番組に切り替えて録画が行われることがある。あるいは、その後で他方の番組の放送が終了した場合には、再び一方の番組の録画が開始される、等の動作が行われる。この切替は、２つの番組の各々に設定された優先度に応じて行われる。この優先度は、ＥＰＧ情報より得られる番組の属性情報に応じて設定される。また、番組の時間経過に応じてこの優先度が変化する場合もある。このため、このテレビジョン受像機１０においては、録画予約は番組単位で行われるものの、実際の録画は必ずしも番組単位とはならず、優先度に応じて柔軟に行われる。
【００１８】
上記の優先度と対応付けられる属性情報としては、例えば番組のジャンルがある。この場合にはジャンルと優先度とが対応付けられた優先度情報が用いられる。この対応は、例えば表１のように設定することができる。ここでは、番組のジャンルとして、（ａ）スポーツ中継、（ｂ）ニュース番組、（ｃ）バラエティ番組、（ｄ）音楽番組、（ｅ）ドラマ、（ｆ）映画、（ｇ）再放送予定番組、の７種類に分類している。ここで、（ｇ）再放送予定番組とは、（ａ）〜（ｆ）のいずれかのジャンルには属するが、再放送される予定が明確になっている番組である。例えば、（ａ）スポーツ中継や（ｆ）映画等は再放送予定番組となる場合が多い。再放送予定番組であるか否かの判定は、ＥＰＧ情報から得られたこの番組に対する情報や、放送予定が決定している範囲内のＥＰＧ情報全体において同一内容の番組がこの番組の放送よりも後であるか否かによって行うことができる。
【００１９】
【表１】
2013131998.tif 000003
【００２０】
表１においては、ジャンルだけでなく、番組をその放送時間の前半と後半に分けて優先度を設定している。ここで、優先度は１が最も高く、３が最も低いものとする。まず、（ａ）スポーツ中継の場合には、特にその結果を知ることが優先される。このため、前半の優先度が３、後半の優先度が１とされている。（ｂ）ニュース番組においては、一般には重要なニュースから順に報道されることを考慮し、前半の優先度が１、後半の優先度が３とされている。（ｃ）バラエティ番組、（ｄ）音楽番組については、こうした前半、後半の区分が困難であり、前半、後半ともに優先度が２とされる。一方、（ｅ）ドラマにおいては、同様にこうした区分が困難であるが、（ｃ）バラエティ番組、（ｄ）音楽番組よりも録画して見る必要性が高いと判断され、前半、後半ともに優先度が１とされる。（ｆ）映画もドラマと同様であるが、放送時間が長いため、後半を特に重視して、優先度を前半で２、後半で１としている。（ｇ）再放送可能番組については、再度視聴が可能であるため、前半、後半共に優先度は最も低い３に設定される。
【００２１】
この優先度情報は、不揮発性のメモリで構成される情報記憶部１５に記憶されており、制御部１１は、この優先度情報を読み出すことができる。制御部１１は、２つの番組の放送時間が重複した場合においては、各々の番組のジャンルと優先度情報とに基づいて、優先度の高い側の番組を自動的に選択して受信、録画させることができる。
【００２２】
以下、この場合に実行される録画の状況について具体的に２種類の例について説明する。
【００２３】
図２は、放送時間の長い番組と放送時間が短い番組を共に録画する場合の録画の具体的状況（第１の例）について示している。図２（ａ）は、時刻が７：００〜９：００の間における番組表中のチャンネルＡ、Ｂ、Ｃ、Ｄの４つの放送局における番組Ａ１、Ｂ１、Ｃ１、Ｄ１の関係を示す。ここで、番組Ａ１は７：００〜９：００にかけてＣＨ−Ａ（Ａ局）で放送されるバラエティ番組、番組Ｂ１はＣＨ−Ｂ（Ｂ局）で８：００〜８：１５にかけて放送されるドラマ、番組Ｃ１はＣＨ−Ｃ（Ｃ局）で８：３０〜９：００にかけて放送されるニュース、番組Ｄ１はＣＨ−Ｄ（Ｄ局）で７：３０から９：００にかけて放送されるバラエティ番組である。このうち、利用者は、Ｄ１については録画を希望しないが、Ａ１、Ｂ１、Ｃ１の録画を希望しているものとする。図示されるように、Ａ１とＢ１はＢ１の放送時間帯全体、Ａ１とＣ１はＣ１の放送時間帯全体において、それぞれ重複している。これらの各時間帯においては、一方の番組のみを録画することができる。
【００２４】
ここで、制御部１１は、番組が重複する時間帯においては、表１の優先度に応じて一方の番組を選択する。このため、制御部１１は、まず番組のジャンルをＥＰＧ情報から認識する。次に、このジャンルに対応した優先度を、情報記憶部１５から優先度情報（表１のデータ）を読み出して、認識する。図２（ａ）においては、Ａ１、Ｂ１、Ｃ１に対応する領域が前半と後半に分割され、それぞれの中において、表１に示された優先度が記載されている。制御部１１は、番組が重複する時間帯において、より高い優先度をもつ番組を受信、録画する制御を行う。録画する番組の切り替えは、現在録画中の番組の放送が継続している間であっても行われる。
【００２５】
この場合に記憶部１４で録画される情報（録画パターン）は、図２（ｂ）の通りとなる。ここでは、録画されるべき番組が時刻毎に表示されている。すなわち、まず、Ａ１のみが放送される７：００〜８：００においてはＡ１が録画される。次に、Ａ１とＢ１が重複して放送される８：００〜８：１５においては、Ａ１の優先度が２、Ｂ１の優先度が１であるため、Ｂ１が録画される。次に、Ａ１のみが放送される８：１５〜８：３０においてはＡ１が再度録画される。
【００２６】
Ａ１とＣ１が重複して放送される８：３０〜９：００においては、Ｃ１の前半に対応する８：３０〜８：４５と、その後半に対応する８：４５〜９：００で状況が異なる。まず、８：３０〜８：４５においては、Ａ１の優先度は２、Ｃ１の優先度が１であるため、Ｃ１が録画される。一方、８：４５〜９：００においては、Ａ１の優先度は変わらずに２であるのに対してＣ１の優先度は３に低下するため、Ａ１が再び録画される。
【００２７】
この場合においては、録画する番組がＡ１しかない７：００〜８：００、８：１５〜８：３０の２つの時間帯においては、その優先度に関わらずＡ１が録画される。Ａ１とＢ１、Ａ１とＣ１が重複する時間帯においては、表１の優先度に応じて一方の番組が選択されて録画される。この際、この選択は番組の前半と後半に分けて行われる。制御部１１は、放送受信部１２を制御してチャンネルの切り替えをこのように自動的に制御し、得られた信号を記憶部１４で記憶する。このチャンネルの切り替えは、録画している番組の放送の途中であっても行われる。
【００２８】
このため、利用者が予約録画する際には、放送される番組単位で録画予約を行うにも関わらず、実際には図２（ｂ）に示されるような、各番組が断片的に録画される録画パターンが実現される。この録画パターンによれば、優先度の高い部分である、ドラマＢ１の全部、ニュースＣ１の前半部分を録画し、かつバラエティ番組Ａ１の半分以上を、一つのチューナを用いて録画することができる。
【００２９】
一方、こうした場合において常に番組単位でしか録画することのできない従来の技術においては、Ａ１を録画予約した場合には、Ｂ１、Ｃ１を録画することは不可能であった。
【００３０】
なお、図２（ｂ）の録画パターンが実行された場合には、（Ｉ）７：００〜８：００の番組Ａ１、（ＩＩ）８：００〜８：１５の番組Ｂ１、（ＩＩＩ）８：１５〜８：３０の番組Ａ１、（ＩＶ）８：３０〜８：４５の番組Ｃ１、（Ｖ）８：４５〜９：００の番組Ａ１、にそれぞれ対応する５つのファイルが作成され、記憶部１４において記憶される。この場合、同一番組（Ａ１）である（Ｉ）、（ＩＩＩ）、（Ｖ）については、録画終了後に、統合された一つのファイルとすることも可能である。
【００３１】
図３は、図２とは異なる場合における録画の具体的状況（第２の例）を示す。図３（ａ）に示されるように、Ａ局では８：００〜９：００において野球中継Ａ２が放送される。ただし、試合の状況によってはその放送終了時刻は最大９：３０まで延長される場合がある。一方、Ｂ局では８：５０〜９：３０まで音楽番組Ｂ２が放送される。Ａ２とＢ２の放送時間は少なくとも８：５０〜９：００の間は重複し、Ａ２の延長の状況によっては重複する時間は更に長くなる。
【００３２】
この場合において、Ａ２が予定通りの放送時間（９：００で放送終了）であった場合の録画パターンが図３（ｂ）である。この場合には、Ａ２とＢ２は８：５０〜９：００の時間帯で重複するが、この間においてはＡ２の優先度は１、Ｂ２の優先度は２であるため、Ａ２が録画される。このため、８：００〜９：００の間は欠損なくＡ２が録画され、Ｂ２はその放送途中の９：００から録画される。
【００３３】
一方、Ａ２が９：３０まで延長となった場合の録画パターンが図３（ｃ）である。この場合、Ａ２の後半である８：４５〜９：３０の間のＡ２の優先度は１であり、８：５０〜９：３０の間にこれと重複するＢ２の優先度は２であるため、この重複期間においてはＡ２が録画される。このため、Ａ２が８：００〜９：３０まで録画され、Ｂ２は全く録画されない。
【００３４】
こうした場合において、常に番組単位でしか録画することのできない従来の技術においては、特に図３（ｂ）の録画パターンを実行することは不可能であった。
【００３５】
このように、このテレビジョン受像機１０においては、録画予約された番組の放送時間帯に重複がある場合に、予め定められた優先度に応じて、録画する番組が選択される。表１のように、番組を前半と後半の２つに分けて優先度を設定する以外にも、より細かい区分をすることも可能である。
【００３６】
あるいは、この区分を全てのジャンルで同様にする必要はない、例えば、（ａ）スポーツ中継等は前半と後半の２区分とするが、（ｃ）バラエティ番組は「前」、「中」、「後」の３区分とし、「中」の優先度を最も高く設定することも可能である。この場合でも、ある時刻における各番組の優先度を比較し、優先度の高い番組を選択して録画するという動作は上記と同様に可能である。一般的には、一つのジャンルの番組に対して、番組の放送開始から放送終了までの間で優先度を放送開始からの時間経過に応じて適宜変化させることも可能である。こうした設定は、利用者が嗜好に応じて適宜行うことができることが好ましい。ただし、録画予約の度にこの設定を行う必要はなく、例えばこのテレビジョン受像機１０の初期設定時に利用者がこの設定を行えば充分である。
【００３７】
また、上記の例では優先度情報において番組のジャンルに応じて優先度を設定したが、ジャンル以外に、ＥＰＧ情報から得られる他の属性情報に応じて優先度を設定することも可能である。例えば、放送時間の長い番組を全て録画する必要性は低いため、放送時間の長い番組の優先度は下げ、短い番組の優先度を高くする、等の設定が可能である。
【００３８】
また、ある時刻において重複する２つの番組の優先度が等しくなっている場合もありうる。こうした場合には、優先度情報で定められた基準以外の基準で選択を行わせることができる。この場合、例えば、既に録画を進めている方の番組（あるいは逆にこれから録画を開始する方の番組）を優先して録画する、チャンネル番号の小さな方の番組（あるいは逆にチャンネル番号の大きな方の番組）を優先的に録画する、等の設定をすることができ、録画すべき一つの番組を選択することができる。この設定も、利用者がこのテレビジョン受像機１０の初期設定時に行うことが可能である。
【００３９】
なお、上記の例において、特許文献１に記載の技術と同様に、例えば優先度の高い方の番組が何らかの原因で放送中止となった場合には、その選局を中止し、代わって優先度の低い方の番組の選局・録画を行わせることもできる。
【００４０】
また、上記の例では、ある時刻において２つの番組が重複する場合について記載したが、３つ以上の番組が重複する場合であっても同様に優先度を用いた選択ができることは明らかである。
【００４１】
このように、上記の構成により、このテレビジョン受像機１０においては、放送時間が重複する２つ以上の番組の録画を、状況に応じて柔軟に行うことができる。また、更に利用者の要求に沿うためには、上記の通りに設定された録画パターンを予めデフォールトとして利用者に確認させ、この録画パターンを利用者が変更できる構成とすることが、より好ましい。
【００４２】
この場合に、このテレビジョン受像機１０において実際に利用者が録画予約を行なう際の動作の例について説明する。図４は、このテレビジョン受像機１０において録画予約を実行する際のフローチャートである。ここでは、上記の通りの録画パターンが優先度情報を用いてデフォールトとして設定される。この録画パターンを更に利用者が編集することができ、編集後の録画パターンを用いて実際の録画が行われる。
【００４３】
ここで、優先度情報は、実際に利用者が録画予約をするよりも前、例えばこのテレビジョン受像機１０の初期設定時に予め設定され、情報記憶部１５に記憶されている。ただし、テレビジョン受像機１０の各種における他の設定と同様に、必要に応じて利用者がこれを後で書き変えることもできる。
【００４４】
まず、制御部１１は、ＥＰＧ情報を用いて番組表を表示部１３に表示させ、利用者に、この中のどの番組の録画するかを全て選択させる（録画番組選択工程：Ｓ１）。この指定は、例えば利用者がリモコン送信機における十字キー等を用いて番組表の中で行うことができる。
【００４５】
録画希望の全ての番組の選択が終了したら、制御部１１は、選択された番組間で放送時間帯が重複する組み合わせがあるか否かを判定する（重複判定工程：Ｓ２）。ここでは、制御部１１は放送時間帯が重複する組み合わせを全て見つけだし、どの時間帯で重複するかも認識する。この際、例えば図３における番組Ａ２（野球中継）のように、放送が延長される可能性があり、延長された場合に重複する可能性がある組み合わせも、この組み合わせとして認識することができる。この場合には、この番組において最長時間の延長がなされたものとして取り扱うことができる。放送時間帯が重複する組み合わせが存在しなければ、処理を終了する（Ｓ１０）。
【００４６】
放送時間帯が重複する組み合わせが存在した場合、制御部１１は、この組み合わせの対象となる番組名等、この番組に関する情報を表示部１３で表示させる（重複番組表示工程：Ｓ３）。
【００４７】
次に、制御部１１は、利用者に対して、この重複を解消するように予約を変更するか否かを決定させる（Ｓ４）。重複を解消することを利用者が希望した場合には、録画番組選択工程（Ｓ１）を再度実行させる。
【００４８】
利用者が重複を認める場合（Ｓ４）には、制御部１１は、各番組のジャンルをＥＰＧ情報から認識する。次に、情報記憶部１５に記憶された優先度情報におけるこのジャンルに応じた優先度を、各番組の優先度として認識する。番組が重複した時間帯においては、優先度の高い番組を録画対象として選択する。ただし、この優先度の比較は、番組が重複した時間帯での時間経過に応じて行い、優先度の大小関係が変わる時点においては、番組の放送の途中であってもこれに応じて選択する番組（チャンネル）を切り替える。一方、一つの番組のみが予約されている時間帯では、この番組を選択する。これによって、例えば図２（ｂ）のような録画パターンを作成し、これを表示部１３で表示させる（録画パターン表示工程：Ｓ５）。
【００４９】
なお、多数の番組を同時に予約録画する場合には、異なる組み合わせでそれぞれ番組の重複が生ずる場合もある。こうした場合には、組み合わせ毎にこの録画パターンを表示させることができる。また、ここで対象となった番組の中に、表１における（ｇ）再放送予定番組が存在した場合には、その旨を表示し、利用者の選択によって録画番組選択工程（Ｓ１）を再度実行させることも可能である。
【００５０】
利用者は、この録画パターンを見て、変更を希望する場合には、録画パターンの編集を行う（録画パターン編集工程：Ｓ６）。ここでは、例えば、図２（ｂ）の録画パターンを表示部１３で表示させ、リモコン送信機の十字キー等を用いてカーソルを録画パターン中のある領域に対応した箇所に移動させ、設定キーを押すことによってこの領域の番組を変更させるという操作を行わせることができる。これにより、例えば図２（ｂ）の録画パターン中の８：４５〜９：００においてＡ１が録画されていたものを、８：４５〜９：００（８：３０〜９：００）においてＣ１が録画されるように変更することができる。あるいは、重複する２つの番組の優先度が同一である場合に、ここで利用者に選択をさせることもできる。
【００５１】
編集を終了する、あるいは編集が不要の場合には、利用者がリモコン送信機の終了キーを押すことによって、編集作業は終了する。制御部１１は、編集された場合にはこの編集後の録画パターンを、編集がされなかった場合にはデフォールトの録画パターンを、それぞれ情報記憶部１５等、メモリに記憶させる。これによって、録画予約に関する処理を終了する（Ｓ１０）。
【００５２】
その後、制御部１１は、この記憶された録画パターンに基づき、放送受信部１２を時刻通りに制御し、録画すべき番組の画像信号、音声信号を記憶部１４に記憶する（録画工程）。すなわち、所望の録画パターンで各番組を録画することができる。
【００５３】
ここで、視聴者に番組を選択させる際に、番組表中で番組を選択させる代わりに、チャンネル（放送局）と録画開始時刻、録画終了時刻を設定させることもできる。この場合においては、利用者が番組の重複を予め認識することは容易であり、録画するチャンネル（番組）、録画開始時刻、録画終了時刻の設定を適宜行わせることによって、図２等の録画パターンを実現することも可能である。しかしながら、この場合には、チャンネルの切り替え時刻（図２においては７：００、８：００、８：１５、８：３０、８：４５、９：００）に対応してこの設定を行うことが必要となる。これに対して、上記の録画方法によれば、録画予約する番組（Ａ１、Ｂ１、Ｃ１）の選択だけ、あるいは更にデフォールトの録画パターンを編集する作業を行うだけでこの録画を行うことができる。この際、手間のかかる時刻の設定は不要となり、簡便な操作だけでこの録画を行うことが可能である。
【００５４】
なお、上記の例では、このテレビジョン受像機１０における放送受信部１２が一つのチューナしか具備しないものとした。一方、放送受信部１２がＭ個（Ｍ≧２）のチューナをもつ場合には、放送時間帯が重複するＭ個以下の番組が存在しても、各々のチューナを独立に用いて、Ｍ個の番組を同時に録画することが可能であるため、上記の録画方法を実行する必要はない。しかしながら、こうした場合においても、放送時間帯が重複するＭ＋Ｋ個（Ｋ≧１）以上の番組が存在した場合には、Ｋ個のチューナの各々に対応して上記の録画方法を同様に実行することにより、同様の効果を奏する。
【００５５】
なお、上記においては、この録画装置が録画機能付きのテレビジョン受像機である場合について記載したが、放送受信部と記憶部を具備するが表示部を具備しないハードディスクレコーダや、ＤＶＤレコーダ等であっても、同様の機能を実現することができることは明らかである。また、記憶部を内蔵せず、例えば外付けの記憶装置に信号を記憶させる録画装置でも同様である。
【符号の説明】
【００５６】
１０  テレビジョン受像機
１１  制御部
１２  放送受信部
１３  表示部
１４  記憶部
１５  情報記憶部
【図１】
2013131998.tif 000004
【図２】
2013131998.tif 000005
【図３】
2013131998.tif 000006
【図４】
2013131998.tif 000007